(57)【要約】  本発明は、端末システム（１００、２００）を備え、端末システムが、放送されるプログラムの電子サービスガイド（ＥＳＧ）を表示する表示モジュール（１２０）を備え、前記ＥＳＧが、現行のＥＳＧを通して選択され端末システムに放送されたプログラムの記憶を開始する放送システムであって、ローカルＥＳＧを作成し、端末システム（１００、２００）に表示するモジュール（１２０、１３０）を備え、ローカルＥＳＧが、選択され、放送され、端末システムに記憶されたプログラムに対応し、前記ローカルＥＳＧ（２１０、２１２）が、ローカルＥＳＧ内の対応する項目の起動に応答して、記憶されたプログラムの再生を開始することを特徴とする、放送システムに関する。【選択図】  図１
2009545218.tif 000002
【特許請求の範囲】
【請求項１】
端末システム（１００、２００）を備え、前記端末システムが、放送されるプログラムの電子サービスガイド（ＥＳＧ）を表示する表示モジュール（１２０）を備え、前記ＥＳＧが、該ＥＳＧを通して選択され前記端末システムに放送されたプログラムの記憶を開始する放送システムであって、ローカルＥＳＧを作成し、前記端末システム（１００、２００）に表示するモジュール（１２０、１３０）を備え、前記ローカルＥＳＧは、選択され、放送され、前記端末システムに記憶されたプログラムに対応し、前記ローカルＥＳＧ（２１０、２１２）が、前記ローカルＥＳＧ内の対応する項目の起動に応答して、記憶されたプログラムの再生を開始することを特徴とする、放送システム。
【請求項２】
前記端末システム（１００、２００）が、ホスト端末（１００）及び前記ホスト端末（１００）によってホストされる個人トークン（２００）を備え、前記選択され、放送され、記憶されたプログラムに対応する前記ＥＳＧが、前記個人トークン（２００）に記憶されることを特徴とする、請求項１に記載の放送システム。
【請求項３】
前記個人トークン（２００）が、通信ネットワーク内で認証するための認証トークンであることを特徴とする、請求項２に記載の放送システム。
【請求項４】
前記選択され放送されるプログラムが、前記個人トークン（２００）に記憶されることを特徴とする、請求項２又は３に記載の放送システム。
【請求項５】
前記端末システム（１００、２００）が、放送されるプログラムに対応する前記ＥＳＧ内で前記ユーザにより選択されたプログラムをピックアップし、それから前記選択され放送されたコンテンツの記憶を開始するアプリケーション（１３０）を実行し、前記アプリケーション（１３０）が前記ホスト端末（１００）において実行されることを特徴とする、請求項２〜４のいずれか一項に記載の放送システム。
【請求項６】
前記ＥＳＧ内で選択されたプログラムをピックアップし、前記選択されそれから記憶されたプログラムに対応するＥＳＧデータの記憶を開始するアプリケーション（１３０）を備え、前記アプリケーション（１３０）が、前記ＥＳＧデータを、前記端末システムに記憶された放送される前記プログラムのＥＳＧから抽出することを特徴とする、請求項１〜５のいずれか一項に記載の放送システム。
【請求項７】
前記ＥＳＧ内で選択されたプログラムをピックアップし、前記選択されそれから記憶されたプログラムに対応するＥＳＧデータの記憶を開始するアプリケーション（１３０）を備え、前記アプリケーション（１３０）が、前記ＥＳＧデータを、来信するＥＳＧストリームから抽出することを特徴とする、請求項１〜５のいずれか一項に記載の放送システム。
【請求項８】
前記端末システム（１００、２００）が、ＥＳＧデータを取得し、前記端末システム（１００、２００）によるＥＳＧデータの表示を開始するＥＳＧエンジン（１１０）を備え、同じ前記ＥＳＧエンジン（１１０）が、放送されるプログラムについてのＥＳＧデータを取得すると共に、既に記憶されているプログラムについてのＥＳＧデータを取得することを特徴とする、請求項１〜７のいずれか一項に記載の放送システム。
【請求項９】
通信ネットワーク内の、電子サービスガイド（ＥＳＧ）を表示する表示モジュールを有するホスト端末（１００）内でホストされ、すでに放送されたプログラム（２２０）を記憶する個人トークン（２００）であって、該個人トークン（２００）内に記憶された前記プログラム（２２０）に対応するＥＳＧ（２１０、２１６）を記憶し、該ＥＳＧ（２１０、２１６）により、ユーザが、前記ホスト端末（１００）によって表示されるものとして前記ＥＳＧの対応する項目を起動させることによって、前記記憶されたプログラムのうちの１つの再生を開始できるようにすることを特徴とする、個人トークン。
【請求項１０】
該個人トークン（２００）に記憶された前記プログラム（２２０）に対応する前記ＥＳＧ内の選択されたプログラムをピックアップし、該個人トークン（２００）をホストする端末（１００）上の前記プログラムの再生を開始するローカルＥＳＧアプリケーション（１３０）を記憶し実行することを特徴とする、請求項９に記載の個人トークン。
【発明の詳細な説明】
【技術分野】
【０００１】
本発明は、通常、リモートサーバ、端末、携帯電話型であり得る通信ネットワーク、及びコンテンツが放送される放送ネットワーク（ＤＶＢ、ＤＡＢ等）を含む通信システム内でのコンテンツの放送に関する。
【背景技術】
【０００２】
このようなコンテンツは、音声、映像、サービス、画像、及びより一般的には通信ネットワーク内でエンドユーザに直接又は間接的に提供することができるあらゆる種類のデータであり得る。
【０００３】
通信ネットワークは、リモートサーバ及び様々な端末を含むあらゆる種類のネットワークであってよく、前もって具現化されたコンテンツが、エンドユーザに提供するために端末に放送される。通信ネットワークは、通常、端末が携帯電話、スマートフォン、又は通信機能付きＰＤＡ（個人情報端末）のいずれかである携帯電話網であり得る。
【０００４】
本発明は、より特定的には、端末が個人トークン、すなわち通信ネットワークにアクセスするために必要な認証証明及び／又は個人コンテンツデータ、すなわちリモートサーバからのダウンロード後にトークンに記憶された何等かのデータ等の個人データを含むトークンをホストする場合に関する。このような個人トークンは、ＳＩＭカード、大容量メモリカード、大容量メモリＳＩＭ、ＵＳＢ対応ＳＩＭカード、ＵＳＢトークン、又は移動又は固定の通信ネットワーク内のあらゆる種類の他の記憶トークン及び／又は認証トークンであり得る。
【０００５】
ネットワークの中でも特に、ＤＶＢ（デジタルビデオ放送）、ＤＡＢ（デジタルオーディオ放送）、ＤＭＢ（デジタルマルチメディア放送）、ＩＳＤＢ−Ｔ（地上デジタル統合放送サービス）、ＭＢＭＳ（モバイル放送マルチキャストサービス）が知られており、これらは、データ放送に使用されるという共通点を有する。
【０００６】
放送チャネルは、データ伝送に利用可能な帯域幅に従ってより多数又はより少数のサービスを含む。
【０００７】
ネットワークに接続したユーザは、サービスが公開されている場合、又はユーザがサービスに加入していた場合、サービスを受け取ることが可能である。
【０００８】
各国が、運営者によって配信されるその国自体のサービスを有する。
【０００９】
ユーザがネットワーク上で利用可能なサービスを発見できるように、「電子サービスガイド」（ＥＳＧ：Ｅｌｅｃｔｒｏｎｉｃ  ｓｅｒｖｉｃｅ  ｇｕｉｄｅ）と呼ばれる発見サービスが提案されている。このサービスは、あらゆるユーザに放送され、それから利用できるようになるか、ユーザの要求によりポイントツーポイントネットワーク（例えば、３Ｇネットワーク）上で送信されるか、又は運営者のウェブポータル上で入手でき、ユーザが通信ネットワーク上のインターネット接続（例えば、ＷＡＰ）を使用してアクセス可能である。
【００１０】
放送ネットワークに応じて、ＥＳＧのようないくつかの発見サービスが知られている。
【００１１】
アナログＴＶの場合、プログラムガイドは「テレテキスト」サービス上で放送される。
【００１２】
家庭のデジタルＴＶの場合、プログラムガイドはＥＰＧ「電子プログラムガイド」と呼ばれるが、ＥＳＧと同様である。
【００１３】
ＥＳＧという名称は現在、手持ち式装置用のデジタルＴＶに使用されているが、家庭用のデジタルＴＶに対して提案されているガイドとわずかしか違わない。
【００１４】
基本的な違いは、ＥＳＧがモバイルＴＶ用の新しいネットワークにＩＰパケットで伝送される点にある。ＥＰＧは逆に、家庭ＴＶ用のトランスポートリンクであるＭＰＥＧ２トランスポートパケットで伝送されるサービスである。
【００１５】
ＥＳＧは、ＴＶプログラム用ペーパーマガジンの電子形態の一種である。
【００１６】
周知のペーパーマガジンのようなＥＳＧは、特に以下に列挙するような、プログラムについてのいくらかの情報を含む：プログラム名、データを放送する運営者識別子（カナル＋（Ｃａｎａｌ＋）、ＴＰＳ等）、放送開始時間及び放送終了時間、プログラムの視聴推奨年齢（ｐａｒｅｎｔａｌ  ｒａｔｉｎｇ）、プログラムの概要、俳優、批評、他のチャネル（例えば、携帯電話ポイントツーポイントチャネル）で取得可能な他の情報へのＵＲＬリンク、所与のプログラムを取得するための端末についての技術的な情報（例えば、放送ネットワーク内の検索アドレス）を含む。
【００１７】
この情報は「メタデータ」で伝送され、何等かのデータが変更されたときに更新される「コンテナ（ｃｏｎｔａｉｎｅｒ）」内で伝送される。
【００１８】
ユーザの受信機（端末）において、エンジンがデータを取得し、場合によっては記憶し、グラフィックエンジンに送信し、グラフィックエンジンは、ユーザの要求によりデータを表示するように編成する。
【００１９】
このＥＳＧのおかげで、ユーザは見たい又は消費したいプログラムを選択することになる。このサービスは、ユーザがＥＳＧで選択できるいくつかの言語で放送することができる。
【００２０】
このような放送システムでは、サービスがライブ送信され、ユーザが経過を追いたいサービスを見ることができないことがある。ユーザは、ＰＶＲ（個人ビデオレコーダ）を使用してコンテンツを記憶する可能性を有する。ＰＶＲは、ユーザがある時間期間中にチャンネルを記憶し、その後、記録されたストリームをユーザの要求により再生できるようにする。
【００２１】
ユーザ側で後に必要な操作、すなわちこのようなプログラムを記録したことを後に思い出すこと、何故それにいくらかの関心を持ったのかの理由を思い出すこと、及び端末を操作してプログラムを後に再生することは、ユーザにとってあまりに煩雑で面倒に思え、それ故、ユーザがそのプログラムを見たいと感じない、さらには元々の記録操作の開始もしない可能性があるように思われる。
【発明の概要】
【発明が解決しようとする課題】
【００２２】
本発明は、この課題に対する解決策を提供することを目的とする。
【課題を解決するための手段】
【００２３】
これに関して、本発明の主な目的は、エンドユーザによる、放送され記憶されたコンテンツの後の消費をより容易にすることである。
【００２４】
この目的は、添付の特許請求の範囲に記載されている本発明によって達成される。
【００２５】
本発明の他の目的、恩恵、及び諸態様が、添付図面を参照して行われる以下の説明を通して明らかになるであろう。
【図面の簡単な説明】
【００２６】
【図１】本発明の好ましい実施形態による端末システムを構成する、個人トークンに関連する携帯電話を示す。
【図２】本発明の好ましい同実施形態でのデータフロー及び連続ステップを示す図である。
【発明を実施するための形態】
【００２７】
本実施形態について、データ、映像／音声データ及び他のサービスがＩＰパケット内で放送され、ＩＰパケットが異なる性質であってよいトランスポートレイヤ上で転送される放送システムの文脈の中で説明する。ネットワークはＤＶＢ−Ｈネットワークであってよく、この場合、トランスポートレイヤは、デジタルＴＶ「ＭＰＥＧ２トランスポートストリーム」の枠組み内の通常のレイヤであり、又はネットワークはＭＢＭＳ技術（マルチメディア放送／マルチキャストサービス）を使用する３Ｇネットワークであってもよく、この場合、トランスポートレイヤはＵＭＴＳである。
【００２８】
こういった放送ネットワークは、ＩＰパケットをマルチキャストモードで伝送するに当たって特殊性を有する。
【００２９】
マルチキャスト型のＩＰアドレス（２２４．ｘｘｘ．ｘｘ．ｘ）が使用され、これらサービスは、データを平行して受信すると共に、同じプロトコルを共有する端末グループに向けられる。
【００３０】
所与のマルチキャストアドレス上で送信されるサービスを受信したい端末は、このグループの一員として事前に登録する必要がある。
【００３１】
この登録を実行するプロトコルは、ＩＰモードで使用される。このプロトコルはＩＧＭＰ（インターネットグループ管理プロトコル）という名称である。「クエリア（ｑｕｅｒｉｅｒ）」という名称のマルチキャストルータが、どのアドレスが、スタックによってサポートされるアプリケーションによって処理されるマルチキャストアドレスであるかを接続されているＩＰスタックに尋ねる。
【００３２】
次に、登録が実行され、ルータが要求されたグループの一員のアドレスを受信した場合、要求されたスタック又はアプリケーションに対応するＩＰパケットを送信する。
【００３３】
アプリケーションは、事前対応モードでグループの一員であるとして登録することもでき（参加プロセス）、この場合、スタックは、ＩＧＭＰプロトコルによってサポートされるパケットをルータに送信して、この登録を示す。
【００３４】
周知のように、ユーザが利用可能なプログラムを見つけ出せるようにするサービスが存在し、このサービスはＥＳＧ（電子サービスガイド）と呼ばれる。このサービスでは、端末がプログラムを取得（例えば、放送ネットワーク内のプログラムのアドレスを検索）できるようにする技術情報が見つけられる。ＥＳＧ情報は、従来、サービスに関連する＜＜取得フラグメント＞＞と呼ばれるフラグメントで転送される。このフラグメント内で、考慮されるサービスを記述するＳＤＰファイルへのリファレンス又はＳＤＰファイルそれ自体である何等かのデータが見つけられる。ＳＤＰファイルは、どのＩＰプロトコルが使用されるか（例えば、ＲＴＰプロトコル）、どのマルチキャストアドレスが使用されるか、どのポートが使用されるか等の、サービスを取得するための技術用語での記述である。このファイルは＜＜参加＞＞プロセスを実行するための重要なプルである。
【００３５】
本発明のこの特定の実施形態において、送受話器及び送受話器によってホストされるＳＩＭカードが使用され、これらは各参照１００及び２００の下で図に示される。
【００３６】
送受話器１００及びＳＩＭカード２００は両方とも、プロセッサ及びメモリを含む。
【００３７】
送受話器１００は、論理モジュールセット、すなわち、本事例ではソフトウェアモジュールセットを含む。送受話器は、すなわちＥＳＧエンジン１１０を含み、ＥＳＧエンジン１１０は、放送されたＥＳＧデータを取得し、後にユーザに向けて送受話器の画面に表示するために記憶する。送受話器は、表示すべきデータをＥＳＧエンジンから取得し、それに従ってユーザに表示するグラフィックユーザインタフェース１２０をさらにホストする。
【００３８】
送受話器１００は、ローカルポッドキャストアプリケーション１３０をさらにホストする。ローカルポッドキャストアプリケーション１３０の機能については後述する。このようなローカルポッドキャストアプリケーション１３０は、データをＳＩＭカード２００に送信し、データは、ポッドキャストＥＳＧデータとして参照２１０の下でＳＩＭカード２００のメモリに記憶される。
【００３９】
連続した処理動作及び記憶動作がこれら異なる項目の間で実行され、これについて図２を参照してこれより説明する。
【００４０】
図２には、数回の情報転送を含むことがあるステップ０〜５が表される。異なるステップに関連する数値参照は、この特定の理由により図２内で繰り返されることもある。
【００４１】
図２においてステップ０と参照される第１のステップは、携帯機器において、運営者がＯＴＡサービス（電波サービス）を通して端末１００に、ポッドキャストアプリケーション１３０をセットアップするいくつかのパラメータを送信することにある。
【００４２】
ＥＳＧブートストラップ動作により、端末１００はどのＥＳＧデータが利用可能であるか、及びどのようにそれらを取得するかを知ることができる。
【００４３】
このＥＳＧブートストラップにおいて、端末１００は、記述子（例えば、ＤＶＢ−ＣＢＭＳの場合にはＥＳＧプロバイダ発見（ＥＳＧＰｒｏｖｉｄｅｒＤｉｓｃｏｖｅｒｙ）記述子）内で、所与のＩＰプラットフォームにおいてＥＳＧを送出したＥＳＧプロバイダを発見する。この記述子内で見つけられたプロバイダ識別子を使用して、端末は別の記述子（ＥＳＧアクセス記述子（ＥＳＧＡｃｃｅｓｓＤｅｓｃｒｉｐｔｏｒ））をパーズし、特定のプロバイダのＥＳＧをブートすることが可能である。
【００４４】
このメカニズムにより、いくつかのＥＳＧをＩＰプラットフォームで送信することが可能になる。
【００４５】
運営者によって端末１００に電波送信されるパラメータは、ＥＳＧブートストラップを構築し、ＥＳＧブートストラップ内のローカルポッドキャスト−ＥＳＧに通知するために必要な情報であり、特に、ＥＳＧプロバイダ発見（ＥＳＧ  ｐｒｏｖｉｄｅｒＤｉｓｃｏｖｅｒｙ）記述子パラメータ（プロバイダＵＲＩ（ｐｒｏｖｉｄｅｒＵＲＩ）、プロバイダ名（ｐｒｏｖｉｄｅｒＮａｍｅ）、プロバイダロゴ（ｐｒｏｖｉｄｅｒＬｏｇｏ）、プロバイダＩＤ（ｐｒｏｖｉｄｅｒＩＤ）、プロバイダ情報ＵＲＬ（ｐｒｏｖｉｄｅｒＩｎｆｏｒｍａｔｉｏｎ  ＵＲＬ）、又はプロバイダ補助データ（ｐｒｏｖｉｄｅｒＡｕｘｉｌｉａｒｙＤａｔａ）等）、サービスプロバイダ情報、ＥＳＧアクセス記述子（ＥＳＧＡｃｃｅｓｓＤｅｓｃｒｉｐｔｏｒ）パラメータ（例えば、ローカルポッドキャストＥＳＧを入手できるＩＰアドレス）である。
【００４６】
これらパラメータは、ポッドキャストアプリケーション１３０がＥＳＧデータへのダイレクトアクセスを有する場合、このポッドキャストアプリケーション１３０を、放送ネットワークから来信する（この特定の運営者の）ＥＳＧストリームに接続するために必要なパラメータ等の他のパラメータを含むこともできる。
【００４７】
図２においてステップ１と参照されるさらなるステップとして、ユーザは、自分がいなくても見たいサービスを選択する。この選択は、様々な方法でユーザに提示することができる。
【００４８】
ユーザがサービスプロバイダのローカルポッドキャストアプリケーション１３０のグラフィカルユーザインタフェース（ＧＵＩ）１２０を通してサービスを選択し、これらサービスにフラグを付ける（選択する）ことにある第１の可能性をユーザに提供することができる。サービスのリスト（選択されたコンテンツＩＤのストレージリスト）は送受信器１００又はＳＩＭカードに記憶される。
【００４９】
第２の可能性として、ユーザは、サービスプロバイダのポータル上でサービスを選択することができ、次に、サービスのリストが、ＯＴＡサービスを使用してサービスプロバイダによってユーザの端末（又はＳＩＭカードのようなリムーバブル要素）に送信される。
【００５０】
第３の可能性として、ユーザは、モバイルアプリケーション内のユーザインタフェースを使用してコンテンツのジャンル又は時間によってサービスリスト、例えば、今日のサッカーの全試合の記憶を選択することができる。（「注文」）。
【００５１】
図２に示すように、表示されるＥＳＧは、ユーザがインタラクティブに選択可能に起動することができる一連の項目に対応する。例えば、ユーザは、記憶することができる様々なプログラムに対応する様々な項目を通して、強調項目を移動させることができる。ユーザが特定のプログラムを記録したい場合、ユーザは、強調要素をそのプログラムに対応する特定の項目上に配置し、それから、送受話器のキーボード上の有効化キーを押下する。メニューの項目のうちの１つを作動させるためにＥＳＧの提示としてメニューを使用する他の多くの方法が既知であり、本発明により可能である。例えば、所望の項目が選択窓内に入るまでメニューを移動させることができ、その後、有効化キーが押下される。ローカルポッドキャストアプリケーション１３０は、このような動作を、識別されたプログラムの記録動作をプログラミングするためのコマンドとして解釈する。
【００５２】
ステップ２において、ローカルポッドキャストアプリケーション１３０は、「注文」又は選択されたコンテンツＩＤに対応するＥＳＧフラグメントを取得する要求を端末１００内のＥＳＧエンジン１２０に送信する。ＥＳＧエンジンが将来の放送コンテンツに対応するＥＳＧデータを取得して記憶すると、そのフラグメントは、端末１００のメモリなのＥＳＧエンジン専用のデータメモリ部で利用できるようにする。
【００５３】
本発明の別の実施形態において、ポッドキャストアプリケーション１３０は、正しいアドレスに登録した後、ＥＳＧストリームを送受話器の受信機器から直接受信することができる。このアドレスは、ＯＴＡサービスを使用してステップ０中に運営者によって端末又はＳＩＭカードに記憶された１つのパラメータであり得る。
【００５４】
これら両方の例において、ポッドキャストアプリケーション１３０は、ユーザが選択プロセス中に選択し、ＳＩＭカード２００のメモリ内のコンテンツフラグメント部２１２に記憶した、サービスを発見するためにユーザにとって有用なコンテンツ記述（概要、批評、俳優等）のＥＳＧ要素（コンテンツフラグメント）を取得する。ポッドキャストアプリケーション１３０は、受信したフラグメントから、「注文」に対応するサービスのコンテンツＩＤも取得し、コンテンツＩＤリストを完成させる。
【００５５】
ポッドキャストアプリケーション１３０は、端末を起動させ、コンテンツを取得するスケジュール及び取得フラグメントも取得し、スケジュール／取得フラグメント部に記憶する。この情報は、適切な時間に送受話器を起動させ、コンテンツを送受話器の受信機器から取得するために使用される。
【００５６】
ステップ３において、送受話器内でポッドキャストアプリケーション１３０はスケジュール情報を使用して受信機器を起動させ、それから、取得フラグメントを使用して適切なＩＰアドレスに接続し、受信機器を通して「注文」又は記憶されたサービスのリスト（コンテンツＩＤ）に従ったプログラムを受信する。次に、ローカルポッドキャストアプリケーション１３０は、オーディオプログラム、音楽プログラム、又は映像プログラム等の取得されたコンテンツを、モバイル装置又はパーソナルコンピュータで再生するためにＳＩＭカード又は端末の大容量記憶部２２０に記憶する。アプリケーション１３０は、例えば、ポッドキャストＥＳＧ２１０内の何等かの情報（コンテンツＩＤ又はサービスＩＤ）を使用して、記憶アドレス及びプログラムの名称を保持する。この情報は、次に説明するステップ、すなわちポッドキャストＥＳＧセットアップ中に使用される。
【００５７】
他の何等かの情報（例えば、表示アプリケーションがコンテンツを復号化するために使用するコンテンツのｍｉｍｅ型）も取得フラグメントから検索され、次のステップ（ローカルポッドキャスト−ＥＳＧセットアップ）においてさらに使用するために記憶される。
【００５８】
ステップ４、すなわちローカルポッドキャストＥＳＧセットアップにおいて、ローカルポッドキャストアプリケーションは、次に、コンテンツの受信及び消費を可能にするために端末が必要とする情報を含むＳＤＰファイルを使用して、ポッドキャストサービスに対応する新しい取得フラグメント２１６を構築することが可能である。ローカルポッドキャストアプリケーション１３０は、この新しい取得フラグメント２１６をＳＩＭカードに記憶する。この新しい取得フラグメント２１６は、コンテンツがサービス記憶ステップ中に端末システム内に記憶され保持されたアドレス及び放送された取得フラグメントから来信した情報が記憶されたアドレスを含む（ステップ３参照）。そして、異なるフラグメントが記憶されたローカルポッドキャストＥＳＧデータ２１０が完成し、使用可能になる。
【００５９】
ステップ５と参照される最後のステップは、サービスを消費することにある。
【００６０】
このステップ５として、ローカルポッドキャスト−ＥＳＧデータ２１０はユーザに対してモバイルＴＶアプリケーションで提示される。ユーザがこのＥＳＧを選択した場合、例えばＬｏｃａｌＵＩＣＣ／ｍｙ＿ＥＳＧ＿ＰＯＤＣａｓｔであり得る特定のアドレスにあるローカルポッドキャスト−ＥＳＧデータ２１０が、モバイルＴＶアプリケーションを通して要求される。これらローカルポッドキャスト−ＥＳＧデータ２１０は、有利なことに、使用される放送システムに応じてＤＶＢ−ＣＢＭＳ又はＯＭＡ−ＢＣＡＳＴグループにおいて定められるＥＳＧ仕様に準拠する。次に、端末１００内の同じＥＳＧエンジン１１０は、このローカルポッドキャスト−ＥＳＧを放送ネットワークから来信する標準ＥＳＧデータ（「ＥＳＧ」）として解釈することができる。
【００６１】
図２に示すように、表示されるＥＳＧは、ユーザがインタラクティブに選択可能に起動することができる一連の項目に対応する。例えば、ユーザは、記憶された様々なプログラムに対応する様々な項目を通して、強調項目を移動させることができる。ユーザが特定のプログラムの表示を起動させたい場合、ユーザは強調要素をそのプログラムに対応する特定の項目上に配置し、それから、送受話器のキーボード上の有効化キーを押下する。メニューの項目のうちの１つを作動させるためにＥＳＧの提示としてメニューを使用する他の多くの方法が既知であり、本発明により可能である。例えば、所望の項目が選択窓内に入るまでメニューを移動させることができ、その後、有効化キーが押下される。ローカルポッドキャストアプリケーションは、このような動作を、識別されたプログラムを検索して、ユーザが楽しむために端末において再生する動作をプログラミングするためのコマンドとして解釈する。
【００６２】
コンテンツはカードのメモリから検索され、記憶されたフォーマットで表示される。記憶されたフォーマットは、例えば考慮されるネットワークがインターネットである場合、例えばＲＳＳ配信フォーマット又はアトム（Ａｔｏｍ）配信フォーマットであり得る。
【００６３】
本発明の別の実施形態において、ローカルポッドキャスト−ＥＳＧ２１０は別の方法で送信される。上記解決策では、モバイルＴＶアプリケーションは、ポッドキャストアプリケーション１３０及びポッドキャスト−ＥＳＧ２１０を入手可能なアドレスを知っている。この他の実施形態では、上記のブートストラップＥＳＧのメカニズムを使用していくつかのＥＳＧを発見できるようにし、ローカルポッドキャスト−ＥＳＧは新しいＥＳＧとして考えられる。
【００６４】
放送からＥＳＧブートストラップを受信する端末１１０内のアプリケーション１３０は、ブートストラップ記述子（ＥＳＧプロバイダ発見（ＥＳＧ  ｐｒｏｖｉｄｅｒＤｉｓｃｏｖｅｒｙ）記述子）にポッドキャストアプリケーション１３０から来信した情報、例えばＥＳＧプロバイダ情報（プロバイダＵＲＩ、プロバイダ名、プロバイダロゴ、プロバイダＩＤ、プロバイダ情報ＵＲＬ、又はプロバイダ補助データとして）及びサービスプロバイダ情報を自動的に追加する。ポッドキャストアプリケーション１３０は、アドレスをローカルポッドキャスト−ＥＳＧ２１０を入手可能なＥＳＧアクセス記述子内に追加する。このローカルアドレスは、運営者がＯＴＡを介してフェーズ０中に送信したパラメータであることができる。
【００６５】
この新しい解決策を利用する場合、ローカルポッドキャスト−ＥＳＧの発見は他のＥＳＧの発見と同一である。ローカルポッドキャスト−ＥＳＧはユーザに対して別のＥＳＧと同じ方法で提示される。
【００６６】
この情報をＥＳＧブートストラップに追加する別の方法は、運営者がこのサービスをユーザに提示する場合、ヘッドエンド側で運営者自身が直接行う方法である。ユーザがポッドキャストサービスを使用したことがある場合、ユーザがローカルポッドキャスト−ＥＳＧ内を閲覧するとき、いくつかのサービス又はプログラムがユーザに対して提示され、ユーザがポッドキャストサービスを使用したことがない場合、ユーザがモバイルＴＶアプリケーションによって提示されたローカルポッドキャスト−ＥＳＧ内を閲覧するとき、ローカルポッドキャストアプリケーションはサービスを表示しない。
【００６７】
モバイル運営者は、ＥＳＧブートストラップ内に、サーバレベルで、ローカルポッドキャストＥＳＧのブートストラップ情報、すなわち、例えばＥＳＧプロバイダ情報及びサービスプロバイダ情報並びにローカルポッドキャストＥＳＧを端末内で入手可能なアドレスを提供するＥＳＧアクセス記述子を挿入することができる。このような場合、このアドレスは、好ましくは、異なる端末と同一である（例えば、ｌｏｃａｌＵＩＣＣ／ｍｙ＿ＥＳＧ＿ＰＯＤＣａｓｔ）。
【００６８】
最後に、ユーザはモバイルＴＶアプリケーションを通してポッドキャストサービスを選択する。次に、特定のアドレス（例えば、ＬｏｃａｌＵＩＣＣ／ｍｙ＿ＥＳＧ＿ＰＯＤＣａｓｔ）にあるローカルポッドキャスト−ＥＳＧの要求が送信される。次に、ローカルポッドキャスト−ＥＳＧ（ＸＭＬファイル）は端末内のＥＳＧエンジンに送信され、ＥＳＧエンジンは、放送ネットワークから来信したＥＳＧデータと同じ方法でデータを解釈する。次に、ポッドキャストアプリケーションを通して利用可能なサービス又はプログラムは、放送ネットワークから来診した標準ローカルポッドキャストアプリケーション１３０を表示するために使用されるグラフィックエンジン１２０と同じ、ＥＳＧエンジン１１０にリンクされたグラフィックエンジン１２０を使用してユーザに対して提示される。次に、ユーザは、現在みたいプログラムを選択することが可能である。ユーザには、放送から来信するサービスへのアクセスとポッドキャストアプリケーションから来信するサービスへのアクセスとに違いはない。
【００６９】
１つの主要な利点は、ローカルポッドキャスト−ＥＳＧを解釈するＥＳＧエンジンが、放送されたＥＳＧを解釈するＥＳＧエンジンと同じであることである。この場合、これはユーザにとって完全にトランスペアレントである。
【００７０】
次に、ローカルポッドキャスト−ＥＳＧの取得フラグメントを使用して、モバイルＴＶアプリケーションは、大容量記憶装置に記憶されているサービス又はプログラムを検索することが可能である。
【００７１】
本発明を、端末に記憶されて実行されるポッドキャストアプリケーションに関連して説明した。代替の実施形態において、ポッドキャストアプリケーションはＳＩＭカードに記憶されてもよく、コンテンツはＳＩＭカード又は端末のいずれに記憶されてもよい。ポッドキャストアプリケーションがＳＩＭカード内にある場合、ＳＩＭカードは、（ポッドアプリケーションに含まれるか、又は含まれない）ＥＳＧエンジンも含むことができ、この場合、ＥＳＧエンジンはＥＳＧデータを直接解釈する。ＳＩＭカード内のこのＥＳＧエンジンは、端末のルータによってそれ自体を登録して、放送されたＥＳＧデータを受信する。
【００７２】
ユーザは、経過を追いたいサービスを見るために常に応対できるわけではない。ユーザにとって、関心のあるサービスを定義し、ユーザが応対できない場合であっても端末がユーザのためにプログラムをローカル大容量記憶装置（端末又はリムーバブルメモリカード内に埋め込まれる）に記憶することが有利である。そして、ユーザは、端末又はリムーバブル要素内のエンジンによって提供される新しいＥＳＧサービスを通して、ポッドキャストサービスとして記憶部内でユーザが利用可能なサービスのリストを発見することが可能である。これはローカルポッドキャストサービスである。
【００７３】
目下説明中の実施形態は、ユーザが消費するコンテンツの自動消去機能を備える。この場合、ローカルポッドキャスト−ＥＳＧと利用可能なサービスとの矛盾のない状態を保つためにも、このサービスに関連するＥＳＧメタデータはすべて消去される。
【００７４】
グラフィックエンジン２１０は、サービスの手動消去をユーザに提示することもできる。
【００７５】
コンテンツを大容量記憶装置に保持し、サービスを記述するＥＳＧデータを同じ要素、可搬性のために現行のＳＩＭカード等のリムーバブル要素に保持することに関心がある。ユーザは端末（送受話器）を変更することができ、データを他の送受話器と同じ方法で検索することができ、ローカルポッドキャスト−ＥＳＧ２１０はＥＳＧ規格に準拠する。
【００７６】
ここでの利点も、放送部に使用されるＥＳＧエンジンと全体的に矛盾がない、大容量記憶装置に記憶されたプログラムの技術的に効率的な発見サービスを提供することである。
【００７７】
本発明の本実施形態の別の利点は、オンラインサービスに使用するサービス発見と全体的に矛盾がない、記憶されたサービスの発見をユーザに提示することである。ユーザにとって、アプリケーションのルックアンドフィール（ｌｏｏｋ  ａｎｄ  ｆｅｅｌ）は、端末内の同じエンジンによって処理される場合と同一である。
【図１】
2009545218.tif 000003
【図２】
2009545218.tif 000004
【国際調査報告】
2009545218.tif 000005
2009545218.tif 000006